(57)【要約】      （修正有）【課題】比較的硬度が高く脆性的な特性を持つ穀類、貝殻類、鉱石類等の微粉砕のみならず、海藻や漢方薬の材料等のような、柔らかくて粘り気の強い難粉砕物をも所定の粒度に微粉砕できる粉砕分級機を提供する。【解決手段】粉砕室ケーシング１１−１、サイドケーシング１１−２、および分級室ケーシング１１−３からなる粉砕チャンバ１１と、粉砕チャンバ１１内で回転駆動されるロータ回転軸１２と、ロータ回転軸１２に固定された少なくとも１個の撹拌粉砕ロータ１３と、ロータ回転軸１２の先端部側に固定された撹拌分級ロータ１４と、撹拌粉砕ロータ１３と撹拌分級ロータ１４との間に設けた中間ブレード１５と、からなる構成の粉砕分級機１０とした。【選択図】図１
2017018869.tif 000002
【特許請求の範囲】
【請求項１】
(1)  円筒状の粉砕室が形成された粉砕室ケーシングと、
当該粉砕室ケーシングの上流側に配置され、上流側に原料投入口が形成されたサイドケーシングと、
当該粉砕室ケーシングの下流側に配置され、下流側に吸引ダクトに連通される粉砕物取出し口が形成された円錐台形状の分級室を画成する分級室ケーシングと、
からなる粉砕チャンバと、
(2)  当該サイドケーシングの上流側端面外方に突出して設けられた回転軸保持ケースに回転自在に取付けられ、当該粉砕チャンバ外部に設けた駆動源で粉砕チャンバの中心軸線回りに回転駆動されるロータ回転軸と、
(3)  当該ロータ回転軸に固定された少なくとも１個の撹拌粉砕ロータであって、当該サイドケーシングの原料投入口から投入された粉砕対象物を撹拌粉砕する複数個の撹拌粉砕用ブレードを放射状に設けた撹拌粉砕ロータと、
(4)  当該ロータ回転軸の先端部側に固定された撹拌分級ロータであって、当該分級室の円錐台形状の内周面に近接して対向し、当該内周面に沿うように傾斜した先端形状を有する複数個の撹拌分級用ブレードを放射状に設けた撹拌分級ロータと、
(5)  当該撹拌粉砕ロータと当該撹拌分級ロータとの間に配置された中間構造体と、
からなることを特徴とする粉砕分級機。
【請求項２】
請求項１に記載の粉砕分級機において、
前記中間構造体は、ロータ回転軸に固定され、１又は複数のブレードを放射状に設けた中間ブレードであることを特徴とする粉砕分級機。
【請求項３】
請求項２に記載の粉砕分級機において、
前記中間ブレードが前記撹拌粉砕ロータと前記撹拌分級ロータとの間に複数個配置されていることを特徴とする粉砕分級機。
【請求項４】
請求項１に記載の粉砕分級機において、
前記中間構造体は、粉砕チャンバに固定され、１又は複数のブレードを放射状に設けた中間固定ブレードであることを特徴とする粉砕分級機。
【請求項５】
請求項４に記載の粉砕分級機において、
前記中間固定ブレードが前記撹拌粉砕ロータと前記撹拌分級ロータとの間に複数個配置されていることを特徴とする粉砕分級機。
【請求項６】
請求項１に記載の粉砕分級機において、
前記中間構造体は、粉砕チャンバに固定され、ロータ回転軸に向かって伸びた１又は複数の固定突起物であることを特徴とする粉砕分級機。
【発明の詳細な説明】
【技術分野】
【０００１】
本発明は大豆、米等の穀類、貝殻類、鉱石類等を微粉末状に粉砕すると共に、柔らかくて粘り気の強い難粉砕物をも微粉末状に粉砕することが可能な機能を備えた粉砕分級機に関する。
【背景技術】
【０００２】
穀類、貝殻類、鉱石類等を粉砕するために、従来より種々の粉砕技術が開発されており、特に、微粉末を得られるようにしたものとしては、例えば、特許文献１に記載されているものがある。
【０００３】
特許文献１に記載されている粉砕分級機は、回転軸に支持させた第１、第２の回転体を相対して、一側に原料の投入口を設けたケーシングに収容しており、これらの一対の回転体とケーシングの構成室との間で粉砕室を構成している。
【０００４】
そして、この粉砕室と前記投入口を連通する透孔等の原料通過間隔を第１回転体に、透孔を前記第２回転体の適所に前記回転支軸に沿わせて設けるとともに、前記透孔と吸収装置とを備えた排出口に連通させた構成としている。
【０００５】
この粉砕分級機は回転軸を介して回転体を回転させると、原料通過間隔を通して粉砕室に供給された原料は旋回運動し、これに遠心力が作用し、この遠心力によって原料が径方向に押し付けられて互いにすり合いながら摩擦粉砕され、この状態において排出口側に装置した吸引装置による吸引作用が原料に加えられると、遠心力の作用により吸引作用を強く受ける微粉は、排出口から取出されるようになっている。
【０００６】
ここで述べたような粉砕分級機においては、大豆、米等の穀類、貝殻類、鉱石類等のように、比較的硬く、脆性な特性を有する被粉砕物に対しては、所望する粒度の微粉砕が十分可能であった。
【先行技術文献】
【特許文献】
【０００７】
【特許文献１】特開平４−４０２４６号公報
【発明の概要】
【発明が解決しようとする課題】
【０００８】
最近、例えば、アワビなどの貝類の養殖用餌として湿った海藻（昆布など）を微粉末状にしたり、漢方薬の材料を微粉末状にすることが求められるようになってきている。  しかしながら、このような海藻や漢方薬の材料等は、柔らかくて粘り気の強い難粉砕物であるため、これらを微粉末にすることは、従来の粉砕分級機でこれらを微粉末にすることは無理であった。
【０００９】
本発明は、かかる問題を解決するためになされたものであり、比較的硬度が高く脆性的な特性を持つ穀類、貝殻類、鉱石類等の微粉砕のみならず、海藻や漢方薬の材料等のような、柔らかくて粘り気の強い難粉砕物をも所定の粒度に微粉砕できる粉砕分級機を提供することを課題とするものである。
【課題を解決するための手段】
【００１０】
上記課題を達成するために、第１の観点にかかる発明では、
（１）円筒状の粉砕室が形成された粉砕室ケーシングと、
粉砕室ケーシングの上流側に配置され、上流側に原料投入口が形成されたサイドケーシングと、
粉砕室ケーシングの下流側に配置され、下流側に吸引ダクトに連通される粉砕物取出し口が形成された円錐台形状の分級室を画成する分級室ケーシングと、
からなる粉砕チャンバと、
（２）サイドケーシングの上流側端面外方に突出して設けられた回転軸保持ケースに回転自在に取付けられ、粉砕チャンバ外部に設けた駆動源で粉砕チャンバの中心軸線回りに回転駆動されるロータ回転軸と、
（３）ロータ回転軸に固定された少なくとも１個の撹拌粉砕ロータであって、サイドケーシングの原料投入口から投入された粉砕対象物を撹拌粉砕する複数個の撹拌粉砕用ブレードを放射状に設けた撹拌粉砕ロータと、
（４）ロータ回転軸の先端部側に固定された撹拌分級ロータであって、分級室の円錐台形状の内周面に近接して対向し、内周面に沿うように傾斜した先端形状を有する複数個の撹拌分級用ブレードを放射状に設けた撹拌分級ロータと、
（５）撹拌粉砕ロータと撹拌分級ロータとの間に配置された中間構造体と、
からなる構成の粉砕分級機とした。
【００１１】
また、第２の観点にかかる発明では、第１の観点にかかる発明の粉砕分級機であって、中間構造体は、ロータ回転軸に固定され、１又は複数のブレードを放射状に設けた中間ブレードである構成の粉砕分級機とした。
【００１２】
また、第３の観点にかかる発明では、第２の観点にかかる発明の粉砕分級機であって、中間ブレードが撹拌粉砕ロータと撹拌分級ロータとの間に複数個配置されている構成の粉砕分級機とした。
【００１３】
更に、第４の観点にかかる発明では、第１の観点にかかる発明の粉砕分級機であって、中間構造体は、粉砕チャンバに固定され、１又は複数のブレードを放射状に設けた中間固定ブレードである構成の粉砕分級機とした。
【００１４】
また、第５の観点にかかる発明では、第４の観点にかかる発明の粉砕分級機であって、中間固定ブレードが撹拌粉砕ロータと撹拌分級ロータとの間に複数個配置されている構成の粉砕分級機とした。
【００１５】
更に、第６の観点にかかる発明では、第１の観点にかかる発明の粉砕分級機であって、中間構造体は、粉砕チャンバに固定され、ロータ回転軸に向かって伸びた１又は複数の固定突起物である構成の粉砕分級機とした。
【発明の効果】
【００１６】
上述したような発明の構成とすることにより、比較的硬度が高く脆性的な特性を持つ穀類、貝殻類、鉱石類等の微粉砕のみならず、海藻や漢方薬の材料等のような、柔らかくて粘り気の強い難粉砕物をも所定の粒度に微粉砕できる粉砕分級機を提供することが可能となった。
【図面の簡単な説明】
【００１７】
【図１】図１は、本発明の第１の実施例にかかる粉砕分級ラインの模式図を示したものである。
【図２】図２は、本発明の第２の実施例にかかる粉砕分級ラインの模式図を示したものである。
【図３】図３は、本発明の第３の実施例にかかる粉砕分級ラインの模式図を示したものである。
【図４】図４は、本発明の撹拌粉砕ロータの説明図である。
【図５】図５は、本発明の撹拌分級ロータの説明図である。
【図６】図６は、本発明の中間ブレードの説明図である。
【発明を実施するための形態】
【００１８】
以下、図面に基づき、本発明の実施形態について説明する。  図１は、本発明の第１の実施例にかかる粉砕分級ライン１の模式図であって、大豆、米等の穀類、貝殻類、鉱石類等の他、海藻や漢方薬の材料等（以下、「粉砕対象物」とも呼ぶ）を所望の粒度に粉砕処理する粉砕分級機１０を備えた粉砕分級ライン１を示すものである。
【００１９】
粉砕分級ライン１は、粉砕分級機１０、粉砕対象物供給装置５０、製品回収装置６０、未完成製品回収装置７０から構成されている。
【００２０】
本発明にかかる粉砕分級機１０は、大豆、米等の穀類、貝殻類、鉱石類等の他、海藻や漢方薬の材料等の粉砕対象物を５０ミクロン以下、好ましくは１０ミクロン前後の微粒子状に粉砕するとともに分級する機械である。
【００２１】
この粉砕分級機１０は、大きく分けて、粉砕チャンバ１１と、ロータ回転軸１２と、撹拌粉砕ロータ１３と、撹拌分級ロータ１４と、中間構造体である中間ブレード１５とから構成されている。
【００２２】
粉砕チャンバ１１は、円筒状の粉砕室を形成する粉砕室ケーシング１１−１と、この粉砕室ケーシング１１−１の上流側に配置され、原料投入口１１−６が形成されたサイドケーシング１１−２と、前記粉砕室ケーシング１１−１の下流側に配置され、前記粉砕室ケーシング１１−１に連通された大径側の上流端部と、粉砕物取出し口１１−７に連通された小径側の下流端部を備えた円錐台形状の分級室ケーシング１１−３と、サイドケーシング１１−２の上流側端面外方に突出して設けられ、ロータ回転軸を保持するための回転軸保持ケース１１−４と、から構成されている。  そして、粉砕物取出し口１１−７は、製品回収装置６０に連結された吸引ダクト６１に連結されている。
【００２３】
なお、粉砕室ケーシング１１−１と分級室ケーシング１１−３のそれぞれの内部に、粉砕対象物を粉砕する際に発生する熱で粉砕チャンバ１１が高温になることを防止するために、ウォータジャケットを形成するようにしても良い。
また、サイドケーシング１１−２の上流側端面外方に突出して設けられる回転軸保持ケース１１−４は、サイドケーシング１１−２と一体化して設けても良いし、回転軸保持ケース１１−４とサイドケーシング１１−２を別々に形成し、両者を機械的なファスナー、例えば、ボルト・ナットによって結合するようにしても良い。
【００２４】
ロータ回転軸１２は、粉砕チャンバ１１の中心軸線回りに回転するようになっており、回転軸保持ケース１１−４にベアリングを介して回転自在に取付けられている。  このロータ回転軸１２は、粉砕チャンバ１１の外部に設けられた駆動源で回転駆動される。  この駆動源としては、例えば電動モータ１２−１を使用することができる。
【００２５】
このロータ回転軸１２には、粉砕チャンバ１１のサイドケーシング１１−２に設けられた原料投入口１１−６から投入された粉砕対象物を粉砕チャンバ１１内で撹拌粉砕する少なくとも１個の撹拌粉砕ロータ１３が固定されている。 この撹拌粉砕ロータ１３には、複数個の撹拌粉砕用ブレード１３−１が放射状に設けられている。
【００２６】
更に、このロータ回転軸１２の先端部側には、撹拌分級ロータ１４が取り付けられている。  この撹拌分級ロータ１４は、円錐台形状の分級室ケーシング１１−３の内周面に近接して対向すると共に、この内周面に沿うような傾斜形状をした先端部を有する複数個の撹拌分級用ブレード１４−１が放射状に設けられている。
【００２７】
撹拌粉砕ロータ１３と撹拌分級ロータ１４は、ロータ回転軸１２の端部にスペーサで所定間隔を保持して配置され、ロータ回転軸１２の直径方向両側に配置された一対のキーによりロータ回転軸１２に回り止めされている。  また、ロータ回転軸１２の端面には押さえ板を固定ボルトで固定して撹拌粉砕ロータ１３と撹拌分級ロータ１４のロータ回転軸12軸端からの脱落を阻止している。
【００２８】
撹拌粉砕ロータ１３と撹拌分級ロータ１４は、撹拌粉砕ロータ１３がやや原料投入口１１−６寄りの粉砕室ケーシング１１−１内に、また撹拌分級ロータ１４はその大部分が分級室ケーシング１１−３内に配置されるように、撹拌分級ロータ１４の片側の側面に端面が当接する位置決めスリーブによって、粉砕チャンバ１１内で軸方向に位置決め調整されている。
【００２９】
撹拌粉砕ロータ１３は図４に示すように、中心に形成されたロータ回転軸１２に取付けるための軸孔１３−１を中心に放射状に４〜１２枚の撹拌粉砕用ブレード１３−２が設けられている。  これらの撹拌粉砕用ブレード１３−２は肉厚の厚いプロペラ状に形成され、高速で回転して原料を粉砕できるように強靭に作られている。
【００３０】
撹拌分級ロータ１４は図５に示すように、中心に形成されたロータ回転軸１２に取付けるための軸孔１４−１を中心に放射状に４〜１２枚の撹拌分級用ブレート１４−２が設けられている。  この撹拌分級用ブレード１４−１の先端部には図１に示すように、分級室ケーシング１１−３の円錐台形状の内周面に沿うように近接して対向する傾斜先端面１４−３と、これに連続して撹拌分級ロータ１４の最大径部となる、ロータ回転軸１２の軸方向に平行な先端面１４−４が形成されている。この平行な先端面１４−４は粉砕室ケーシング１１−１の内周面と近接して対向する短い長さに形成されている。  なお、撹拌粉砕ロータ１３と分級粉砕ロータ１４はそれぞれロータ回転軸１２の軸方向に複数組並べて設けてもよい。
【００３１】
撹拌粉砕ロータ１３と撹拌分級ロータ１４の間には、中間構造体である中間ブレード１５が配置されている。  この中間ブレード１５はキーによりロータ回転軸１２に回り止めされていると共に、位置決めスリーブによって、粉砕チャンバ１１内で軸方向に位置決め調整されている。  従って、粉砕分級機１０の運転中、この中間ブレード１５は、ロータ回転軸１２と一体となって回転するようになっている。
【００３２】
中間ブレード１５は図６に示すように、中心に形成されたロータ回転軸１２に取付けるための軸孔１５−１を中心に放射状に１又は複数のブレート１５−２が設けられている。
【００３３】
なお、図１に示す粉砕分級機１０には、中間ブレード１５が２個配置されているが、中間ブレード１５の数は、これに限定されるものではない。  １個の中間ブレード１５または複数個の中間ブレード１５を配置するようにしても良い。
【００３４】
このように撹拌粉砕ロータ１３と撹拌分級ロータ１４の間に中間ブレード１５を配置することによって、海藻や漢方薬の材料等のような、柔らかくて粘り気の強い難粉砕物であっても所定の粒度に微粉砕できるようになる。
【００３５】
なお、粉砕チャンバ１１の内壁の隅部や突出部が凹円弧状または凸円弧状の滑らかな曲面でそれぞれ形成されているとともに、内壁全体が鏡面仕上げされていて、大豆のように油分が多い原料を粉砕する場合に、粉砕チャンバ１１の内壁に粉砕物が付着し難くなっている。
【００３６】
また、粉砕対象物である原料に含まれる湿気で腐食や錆が発生することを防ぐために、粉砕分級機１０の主要な構成部品である粉砕チャンバ１１、ロータ回転軸１２、撹拌粉砕ロータ１３、撹拌分級ロータ１４、および中間ブレード１５等の材料にはステンレス鋼を使用することが望ましい。
【００３７】
粉砕対象物供給装置５０は、粉砕チャンバ１１のサイドケーシング１１−２に設けられた原料投入口１１−６に連結され、粉砕分級機１０へ粉砕対象物を供給する。  粉砕対象物供給装置５０は、例えは、図１に示すように原料である粉砕対象物を収納するホッパー５１と、ホッパー５１の下部に設けられたスクリューフィーダー５２によって構成される。
【００３８】
このスクリューフィーダー５２を電動モータ等によって回転駆動することにより、ホッパー５１に収納された粉砕対象物は、粉砕分級機１０へ供給される。
【００３９】
製品回収装置６０は、粉砕チャンバ１１の分級室ケーシング１１−３に設けられた粉砕物取出し口１１−７に、吸引ダクト６１を介して連結され、粉砕され、分級された微粉末の製品を回収する。
【００４０】
製品回収装置６０は、例えば、図１に示すように吸引ダクト６１、吸引ファン６２と、バグフィルタ収納容器６３と、およびロータリバルブ６４等によって構成されている。
【００４１】
次に、本発明にかかる粉砕分級ライン１の運転方法について説明する。
上記構成の粉砕分級機１０は、製品回収装置６０に連結された吸引ダクト６１を通して吸引ファン６２で粉砕チャンバ１１の分級室ケーシング１１−３に設けられた粉砕物取出し口１１−７から空気を吸引するとともに、ロータ回転軸１２を電動モータ１２−１を作動させて駆動させ、粉砕チャンバ１１内の撹拌粉砕ロータ１３、中間ブレード１５、および撹拌分級ロータ１４を毎分１８００〜１８０００回転の高速で回転させる。
【００４２】
この高速回転によって粉砕チャンバ１１の内部では、撹拌粉砕ロータ１３の撹拌粉砕用ブレード１３−１と撹拌分級ロータ１４の撹拌分級用ブレード１４−１の回転でロータ回転軸１２の回りを回転する空気流が生成される。  この空気流は、粉砕チャンバ１１の中心部では吸引ファン６２の吸引による原料投入１１−６から粉砕物取出し口１１−７へ向かう軸方向の空気流となり、その結果、高速で旋回しながら吸引ダクト６１へ抜ける竜巻状の螺旋気流が生成される。
【００４３】
また、撹拌粉砕用ブレード１３−１と撹拌分級用ブレード１４−１の近傍では、それぞれ螺旋気流の外側に、半径方向外側に向かう遠心気流が生成される。  吸引ファン６２やロータ回転軸１２を駆動してその回転状態が安定した後、粉砕対象物供給装置５０を駆動して、原料投入口１１−６から粉砕チャンバ１１内に粉砕対象物を投入する。
【００４４】
ここで、原料投入口１１−６への原料の供給は、上述した粉砕対象物供給装置５０によって行われるが、原料ホッパ等からダンパーの開度を調整して、供給量を加減しながら行なうようにしても良い。  原料の供給量をより正確に制御するためには、上述した粉砕対象物供給装置５０のスクリューフィーダー５２等の供給手段を用いて行なうことが望ましい。
【００４５】
原料投入口１１−６から粉砕チャンバ１１内へ投入された粉砕対象物は、吸引ファン６２の吸引によって生じている空気流に乗って粉砕チャンバ１１の内部で形成される粉砕ゾーンへ吸い込まれる。  この粉砕ゾーンに侵入した粉砕対象物は、まず高速で回転している撹拌粉砕用ブレード１３−１のエッジ部に衝突することで、大小の粒子に砕かれる。そして、その際ある程度微細になった粉砕物は、螺旋気流に乗って直ちに隣の分級室ケーシング１１−３の内部で形成される分級ゾーンに運ばれる。
【００４６】
また、粉砕ゾーンに運ばれた大部分の粉砕対象物の粒子は、まだ粒度が粗く質量も大きいため、粉砕ゾーン内で半径方向外側に移動して遠心気流に促えられて撹拌され、粒子どうしの衝突あるいは、粒子と粉砕チャンバ１１の内周面との衝突によってさらに細かく粉砕される。  こうして粒度がある程度細かくなった粒子は、粒度が粗いものより遠心力の作用が小さいため、粉砕ゾーンの中心部側に移動し、螺旋気流に捕捉されて分級ゾーンへと移動する。
【００４７】
ある程度細かくなった粒子が粉砕ゾーンから分級ゾーンへ移動する際、この粒子は、中間ブレード１５の各ブレードに衝突してせん断され、更に微細な粒子となる。  特に、海藻や漢方薬の材料等のような、柔らかくて粘り気の強い難粉砕物を粉砕する際には、中間ブレード１５によるせん断によって粒子を微細化することが可能となる。
【００４８】
分級ゾーンにこれらの粉砕物が移動すると、ここで高速回転している撹拌分級用ブレード１４−１によって、螺旋気流の旋回速度が高められるとともに、その外側に遠心気流が生じているため、粉砕ゾーンから送り込まれてきた粉砕物のうち、比較的粒度の粗いものは遠心力の作用を受けて螺旋気流の外側に移動して遠心気流に捕捉され、その一部は遠心気流に撹拌されてさらに細かく粉砕される。
【００４９】
遠心気流は分級ゾーンの円錐台形状の内周面に衝突すると、ここで内周面の傾斜に沿って粉砕ゾーンへ向きを変え、これに伴って粗い粉砕物も粉砕ゾーンに還流されて、ここで再度細かく粉砕される。  分級ゾーンへ送り込まれた比較的粒度の細かい粉砕物や、遠心気流によって細かくされた粉砕物は、螺旋気流に乗って粉砕物取出し口１１−７から製品回収装置６０に連結された吸引ダクト６１へ排出され、途中、吸引ファン６２の手前でバグフィルタ収納容器６３の中に配置されたバグフィルタに捕捉され、ロータリバルブ６４を介して取出される。
【００５０】
次に、本発明の第２の実施例について説明する。  図２は、本発明の第２の実施例にかかる粉砕分級ライン１の模式図であって、粉砕分級機２０を備えた粉砕分級ライン１を示すものである。  なお、以下の説明においては、第１の実施例と異なる点についてのみ説明を行うものとする。
【００５１】
本発明の第２の実施例における粉砕分級ライン１では、粉砕分級機２０、粉砕対象物供給装置５０、製品回収装置６０、未完成製品回収装置７０から構成されている。
そして本発明の第２の実施例における粉砕分級機２０では、撹拌粉砕ロータ１３と撹拌分級ロータ１４の間には、中間構造体である中間固定ブレード２５が配置されている。  この中間固定ブレード２５は粉砕チャンバ１１内で軸方向に位置決めされ、かつ粉砕チャンバ１１に固定されている。  従って、粉砕分級機２０の運転中、ロータ回転軸１２が回転しても、この中間固定ブレード２５は回転しないようになっている。
【００５２】
中間固定ブレード２５は、粉砕チャンバ１１に固定され、粉砕チャンバ１１からロータ回転軸１２の方向へ向かって伸びた１又は複数のブレードを備えている。
【００５３】
粉砕分級機２０が運転されると、粉砕対象物は撹拌粉砕ロータ１３と撹拌分級ロータの作用によってある程度の細かい粒子に粉砕される。  このある程度細かくなった粒子が粉砕ゾーンから分級ゾーン、あるいは分級ゾーンから粉砕ゾーンへ移動する際、中間固定ブレード２５に衝突してせん断され、更に微細な粒子となる。
【００５４】
このように撹拌粉砕ロータ１３と撹拌分級ロータ１４の間に中間固定ブレード２５を配置することによって、海藻や漢方薬の材料等のような、柔らかくて粘り気の強い難粉砕物であっても所定の粒度に微粉砕できるようになる。
【００５５】
次に、本発明の第３の実施例について説明する。  図３は、本発明の第３の実施例にかかる粉砕分級ライン１の模式図であって、粉砕分級機３０を備えた粉砕分級ライン１を示すものである。  なお、以下の説明においては、第１の実施例と異なる点についてのみ説明を行うものとする。
【００５６】
本発明の第３の実施例における粉砕分級ライン１では、粉砕分級機３０、粉砕対象物供給装置５０、製品回収装置６０、未完成製品回収装置７０から構成されている。
そして本発明の第３の実施例における粉砕分級機３０では、撹拌粉砕ロータ１３と撹拌分級ロータ１４の間には、中間構造体である固定突起物３５が配置されている。  この固定突起物３５は粉砕チャンバ１１内で軸方向に位置決めされ、かつ粉砕チャンバ１１に固定されている。  従って、粉砕分級機３０の運転中、ロータ回転軸１２が回転しても、この固定突起物３５は回転しないようになっている。
【００５７】
固定突起物３５は、粉砕チャンバ１１に固定され、粉砕チャンバ１１からロータ回転軸１２の方向へ向かって突起した１又は複数の棒状部材を備えている。
【００５８】
粉砕分級機３０が運転されると、粉砕対象物は撹拌粉砕ロータ１３と撹拌分級ロータの作用によってある程度の細かい粒子に粉砕される。  このある程度細かくなった粒子が粉砕ゾーンから分級ゾーン、あるいは分級ゾーンから粉砕ゾーンへ移動する際、固定突起物３５に衝突してせん断され、更に微細な粒子となる。
【００５９】
このように撹拌粉砕ロータ１３と撹拌分級ロータ１４の間に固定突起物３５を配置することによって、海藻や漢方薬の材料等のような、柔らかくて粘り気の強い難粉砕物であっても所定の粒度に微粉砕できるようになる。
【符号の説明】
【００６０】
１          粉砕分級ライン
１０        粉砕分級機
１１        粉砕チャンバ
１１−１    粉砕室ケーシング
１１−２    サイドケーシング
１１−３    分級室ケーシング
１１−４    回転軸保持ケース
１１−６    原料投入口
１１−７    粉砕物取出し口
１２        ロータ回転軸
１２−１    電動モータ
１３        撹拌粉砕ロータ
１３−１    撹拌粉砕用ブレード
１４        撹拌分級ロータ
１４−１    撹拌分級用ブレード
１５        中間ブレード
１５−１    軸孔
１５−２    ブレード
２０        粉砕分級機
２５        中間固定ブレード
３０        粉砕分級機
３５        固定突起物
５０        粉砕対象物供給装置
５１        ホッパー
５２        スクリューフィーダー
６０        製品回収装置
６１        吸引ダクト
６２        吸引ファン
６３        バグフィルタ収納容器
６４        ロータリバルブ
【図１】
2017018869.tif 000003
【図２】
2017018869.tif 000004
【図３】
2017018869.tif 000005
【図４】
2017018869.tif 000006
【図５】
2017018869.tif 000007
【図６】
2017018869.tif 000008